(57)【要約】      （修正有）【課題】多様な位置に照明灯等の電気機器を取り付けることが可能であり、利用者の嗜好や環境に応じた照明灯等の電気機器の適切な設置を行うことができるようにする。【解決手段】照明灯など電気機器のプラグの係合片が係合される被係合片５２と、プラグの端子と接触する導電板５４とが長手方向に沿って設けられ、プラグを着脱自在に取付可能な直線状で一連の配線ダクトレール部５ａ〜５ｃを備え、長尺の配線ダクトレール部５ａの長手方向の中央位置から配線ダクトレール部５ｂ、５ｃを逆向きに外方へ延設し、配線ダクトレール部５ａ〜５ｃを十字形に配置する電気機器の取付器具。【選択図】図２
0003136382.tif 000002
【実用新案登録請求の範囲】
【請求項１】
電気機器の係合部が係合される被係合部と、該電気機器のプラグの端子と接触する導電板とが長手方向に沿って設けられ、該プラグを着脱自在に取付可能な直線状で一連の配線ダクトレール部を複数備え、
第１、第２の配線ダクトレール部のプラグ取付側を揃え、第１の配線ダクトレール部の長手方向の略中央位置から第２の配線ダクトレール部を外方へ延設することを特徴とする電気機器の取付器具。
【請求項２】
第１、第２、第３の配線ダクトレール部のプラグ取付側を揃え、第１の配線ダクトレール部の長手方向の略中央位置から第２、第３の配線ダクトレール部を逆向きにそれぞれ外方へ延設し、第１、第２、第３の配線ダクトレール部を略十字形に配置することを特徴とする請求項１記載の電気機器の取付器具。
【請求項３】
請求項１又は２記載の電気機器の取付器具に、前記電気機器として、照明灯、スピーカ、扇風機、若しくは薄型ディスプレイ、若しくはこれらの組み合わせが取り付けられることを特徴とする電気機器の取付構造。
【請求項４】
少なくとも前記第１の配線ダクトレール部の略中央位置に前記電気機器が取り付けられることを特徴とする請求項３記載の電気機器の取付構造。
【考案の詳細な説明】
【技術分野】
【０００１】
本考案は、照明灯等の電気機器の取付器具及び取付構造に関する。
【背景技術】
【０００２】
照明灯の取付器具として、照明灯のプラグが着脱可能に取り付けられる直線状の配線ダクトレールが知られている。前記配線ダクトレールは、例えば下面に長手方向に沿う開口を有し、その両側が被係合片となっていると共に、内部の両側には導電板が長手方向に沿って設けられている。そして、前記開口から挿入される照明灯の係合部を被係合片で係合し、照明灯のプラグの端子に導電板を接触して接続する（特許文献１、２参照）。
【０００３】
【特許文献１】特開２００３−３１７５３０号公報
【特許文献２】特開２００６−２４５１３号公報
【考案の開示】
【考案が解決しようとする課題】
【０００４】
ところで、配線ダクトレールは直線状であるため、照明灯の取付位置はその直線に沿った位置に限定されてしまうが、利用者の嗜好や環境に応じた照明灯の設置を行うには、より多様な位置に照明灯を取り付けられる取付構造が求められる。
【０００５】
本考案は上記課題に鑑み提案するものであって、多様な位置に照明灯等の電気機器を取り付けることが可能であり、利用者の嗜好や環境に応じた照明灯等の電気機器の適切な設置を行うことができる電気機器の取付器具及び取付構造を提供することを目的とする。
【課題を解決するための手段】
【０００６】
本考案の電気機器の取付器具は、電気機器の係合部が係合される被係合部と、該電気機器のプラグの端子と接触する導電板とが長手方向に沿って設けられ、該プラグを着脱自在に取付可能な直線状で一連の配線ダクトレール部を複数備え、第１、第２の配線ダクトレール部のプラグ取付側を揃え、第１の配線ダクトレール部の長手方向の略中央位置から第２の配線ダクトレール部を外方へ延設することを特徴とする。
【０００７】
本考案の電気機器の取付器具は、第１、第２、第３の配線ダクトレール部のプラグ取付側を揃え、第１の配線ダクトレール部の長手方向の略中央位置から第２、第３の配線ダクトレール部を逆向きにそれぞれ外方へ延設し、第１、第２、第３の配線ダクトレール部を略十字形に配置することが好ましい。
【０００８】
また、本考案の電気機器の取付構造は、の電気機器の取付器具に、前記電気機器として、照明灯、スピーカ、扇風機、若しくは薄型テレビ等の薄型ディスプレイ、若しくはこれらの組み合わせが取り付けられることを特徴とする。
【０００９】
本考案の電気機器の取付構造は、少なくとも前記第１の配線ダクトレール部の略中央位置に前記電気機器が取り付けられる構成とすることが好ましく、更に、前記第１の配線ダクトレール部の略中心位置に取り付けられる電気機器を照明灯とすることが好ましい。
【考案の効果】
【００１０】
本考案は、第１の配線ダクトレール部の直線に沿った所要位置に電気機器を取り付けることができると共に、第１の配線ダクトレール部の略中央位置から外方へ延設する第２の配線ダクトレール部の直線に沿った所要位置にも電気機器を取り付けることができ、多様な位置に照明灯等の電気機器を取り付けることができる。更に、複数の電気機器を取り付ける場合、直線的な位置調整だけでなく平面的な位置調整を行うことができる。更に、第１の配線ダクトレール部が一連であるため、その略中心位置にも照明灯等の電気機器を取り付けることができる。従って、利用者の嗜好や環境に応じた照明灯等の電気機器の適切な設置を行うことができる。
【００１１】
また、第１、第２、第３の配線ダクトレール部を略十字形に配置することにより、よりバランスの良い電気機器の設置が可能となり、美観を向上することができる。例えば第１の配線ダクトレール部の略中央位置と、第１の配線ダクトレール部の両端部と、第２、第３の配線ダクトレール部の各先端部にそれぞれ照明灯を配置することにより、照明灯がバランス良く配置され、優れた美観を有する照明器具とすることができる。
【００１２】
また、電気機器として照明灯、スピーカ、扇風機、薄型ディスプレイやこれらの組み合わせを取り付けることにより、利用者の嗜好、環境、用途に応じて単一或いは複合的な機能を有する各種装置を構成することができる。
【考案を実施するための最良の形態】
【００１３】
本考案による電気機器の取付器具の実施形態について説明する。本実施形態の電気機器の取付器具１は、図１〜図５に示すように、筐体２と、筐体２に固定される取付部３と、取付部３に取り付けられるアダプタ４と、筐体２の下側に水平に取り付けられる各直線状の配線ダクトレール部５ａ、５ｂ、５ｃと、配線ダクトレール部５ａ、５ｂ、５ｃの長手方向の中央より先端寄りの位置に設けられる当接部材６を備え、取付器具１は天井面１０に設けられるローゼット１１に取り付けられる。
【００１４】
筐体２は、図３及び図４に示すように、有底円筒形の下部２１と、下部２１の上端から鍔状に外方へ突出する突出板２２と、突出板２２の外端から上方へ筒状に形成されている、下部２１より大径の上部２３とを有し、突出板２２には後述する取付ボルト３３の挿通孔が形成されている。また、筐体２の下部２１の底面からは、紐スイッチ２４が下方へ引き出されている。筐体２には、図に省略した紐スイッチ２４による切替装置、前記切替装置の配線、配線ダクトレール部５ａ、５ｂ、５ｃの導電板５３と接続された配線が内装され、前記配線はアダプタ４に接続されている。
【００１５】
取付部３は、底板３１の中央に大きな係合穴３２を有する略皿形であり、底板３１の所定箇所には軸部が下方へ突出するように取付ボルト３３が螺着されている。底板３１は、突出板２２の上側に重なるように配置され、その取付ボルト３３が突出板２２の挿通孔に挿通される。突出板２２の下方へ突出する取付ボルト３３の軸部には取付ナット３４が螺合され、底板３１と突出板２２が固定される。
【００１６】
アダプタ４の上面には、図１、図３、図４に示すように、一対のプラグ刃４１・４１が突設され、プラグ刃４１・４１はローゼット１１の下面に形成されている挿入口（図示せず）に差し込まれ係止される。前記プラグ刃４１・４１の係止により、アダプタ４はローゼット１１に係着される。アダプタ４の外周面の対向位置には、一対の係止爪４２・４２が上下二段で設けられ、係止爪４２・４２はアダプタ４の下側の摘み４３を押して回転することにより、出没可能となっている。アダプタ４は、取付部３の係合穴３３に挿入され、図３の例では上段の係止爪４２・４２の上側まで挿入され、上段の係止爪４２・４２で取付部３の底板３１が支持されている。
【００１７】
尚、ローゼット１１の天井下側への突出高さが異なる場合は、係止爪４２を没入して、上段の係止爪４２・４２と下段の係止爪４２・４２との間、或いは下段の係止爪４２・４２とアダプタ４の下面から外周に突出する鍔部４４との間に底板３１が配置されるように、アダプタ４を係合穴３３に挿入し、その状態で係止爪４２を突出させ、底板３１を下段の係止爪４２・４２或いは鍔部４４で支持することにより、取付部３のアダプタ４の支持位置を調整して適応可能である。
【００１８】
配線ダクトレール部５ａは、図１〜図５に示すように、断面視略Ｃ字形で直線状レール部材であり、その下面の幅方向中央には開口５１が長手方向に沿って一連で形成され、開口５１の両側には一対の被係合片５２・５２が長手方向に沿って一連で形成されている。配線ダクトレール部５ａの内部の両側には、保持部５３・５３で保持されて一対の導電板５４・５４が長手方向に沿って一連で設けられ、導電板５４・５４は離間して対向配置されており、被係合片５２と保持部５３との間にはプラグの係合部が収容される凹溝５５が設けられる。配線ダクトレール部５ａの両端にはストッパー５６・５６がそれぞれ固着され、配線ダクトレール部５ａに取り付けられるプラグの移動を規制し、端部からの脱落を防止している。配線ダクトレール部５ａは、その長手方向の中央を筐体２の中心に位置させ、プラグ取付側の開口５１を下側にして筐体２の下側に配置され、その上板５７を筐体下部２１の底板２１１に補強板７を介在してボルト締めすることにより、筐体２に固定される。また、配線ダクトレール部５ａの導電板５４・５４には、その長手方向の略中央位置に於いて配線が接続され、前記配線は上板５７、筐体下部２１の底板２１１の貫通孔、必要な場合には補強板７の貫通孔若しくは切欠凹部を介して筐体２内に導入され、筐体２に内装される。
【００１９】
配線ダクトレール部５ｂ、５ｃは、図１〜図５に示すように、断面視略Ｃ字形で配線ダクトレール部５ａよりも短尺の直線状レール部材であり、配線ダクトレール部５ａと同様に、下面の開口５１、一対の被係合片５２・５２、一対の保持部５３・５３、一対の導電板５４・５４、一対の凹溝５５・５５が長手方向に沿って一連で設けられている。配線ダクトレール部５ｂ、５ｃの各一端にはストッパー５６が固着され、配線ダクトレール部５ｂ、５ｃに取り付けられるプラグの移動を規制し、端部からの脱落を防止しており、配線ダクトレール部５ｂ、５ｃの各他端はストッパー５６が無く露出している。配線ダクトレール部５ｂ、５ｃは、プラグ取付側の開口５１を下側にして筐体２の下側に配置されると共に、その各他端を配線ダクトレール部５ａの長手方向の中央位置の両側にそれぞれ配置され、配線ダクトレール部５ａ、５ｂ、５ｃが略十字形になるように前記中央位置から逆向きに外方へ延設される。配線ダクトレール部５ｂ、５ｃは、その上板５７を筐体下部２１の底板２１１に補強板７を介してボルト締めすることにより、筐体２に固定されると共に、補強板７の配線ダクトレール部５ｂ、５ｃの長手方向に延びる部分の先端近傍に於いて補強板７とボルト締めすることにより、補強板７で補強支持されている。また、配線ダクトレール部５ｂ、５ｃの各導電板５４・５４には、その他端近傍に於いて配線が接続され、前記配線は上板５７、筐体下部２１の底板２１１の貫通孔、必要な場合には補強板７の貫通孔若しくは切欠凹部を介して筐体２内に導入され、筐体２に内装される。
【００２０】
配線ダクトレール部５ａ〜５ｃの先端寄りの位置には、上板５７上に当接部材６がそれぞれビス止め等で固着され立設されている。当接部材６はボルト部６１の先端に調整ナット６２が螺合された構成であり、調整ナット６２の螺合量を調整して調整ナット６２の上面を天井面１０に当接可能である。各調整ナット６２の上面を天井面１０に当接することにより、電気機器の重量による配線ダクトレール部５ａ〜５ｃの傾きを調整可能である。
【００２１】
そして、取付器具１の配線ダクトレール部５ａ、５ｂ、５ｃには、プラグの係合部など電気機器の係合部を被係合片５２・５２に係合して凹溝５５・５５に収容し、プラグの端子を導電板５３・５３に接触させて、電気機器のプラグが着脱自在に取り付けられる。前記プラグは、配線ダクトレール部５ａ、５ｂ、５ｃに着脱自在に取付可能な適宜の構成とすることが可能である。例えば特許文献２と同様に、プラグ８の略円柱形の回転軸部８１から逆向きに一対の係合片８２・８２、一対の端子８３・８３を突出して設け、取付時には、係合片８２、端子８３の突出方向を開口２１の長手方向に揃えて配線ダクトレール部５ａ〜５ｃに挿入し、回転軸部８１を回転して、係合片８２、８２を被係合片５２・５２に係合し凹溝５５・５５内に収容すると共に、端子８３・８３の先端を導電板５３・５３に当接して接触するようにし、また、取り外し時には前記と逆の動作で取り外すようにしてもよい。
【００２２】
配線ダクトレール部５ａ、５ｂ、５ｃに取り付ける電気機器は、取付可能なものであれば適宜であり、例えば照明灯、スピーカ、扇風機、若しくは薄型ディスプレイ、若しくはこれらの組み合わせを取り付けると好適である。また、配線ダクトレール部５ａの中央位置に照明灯など電気機器を取り付けるようにすると、全体的なバランスを良好にし美観を高められて好適であり、例えば配線ダクトレール部５ａの中心位置に照明灯を配置し、必要に応じて配線ダクトレール部５ａの両端近傍と、配線ダクトレール部５ｂ、５ｃの一端（先端）近傍に照明灯やその他の電子機器を配置するようにすると良好である。
【００２３】
尚、本考案には、その趣旨の範囲内に於ける適宜の構成が包含される。例えば配線ダクトレール部５ａ〜５ｃを十字形に配置する構成以外に、配線ダクトレール部５ａの長手方向の略中央位置から逆向きに外方へ延設される配線ダクトレール部を複数対設け、前記略中央位置を中心に各配線ダクトレール部を略等角度で配置し、各配線ダクトレール部を放射状に配置する構成としてもよい。また、取付器具１は、天井面以外の器具設置面に取り付けることも可能である。
【産業上の利用可能性】
【００２４】
本考案は、例えば照明灯の取り付けに利用することができる。
【図面の簡単な説明】
【００２５】
【図１】実施形態の電気機器の取付器具を示す平面図。
【図２】実施形態の電気機器の取付器具を示す底面図。
【図３】実施形態の電気機器の取付器具を天井に設置した状態を示す一部縦断正面図。
【図４】図３の筐体近傍部分を示す縦断正面図。
【図５】配線ダクトレール部及びプラグを示す一部縦断正面図。
【符号の説明】
【００２６】
１…電気機器の取付器具  ２…筐体  ２１…下部  ２１１…底板  ２２…突出板  ２３…上部  ３…取付部  ３１…底板  ３２…係合穴  ３３…取付ボルト  ３４…取付ナット  ４…アダプタ  ４１…プラグ刃  ４２…係止爪  ４３…摘み  ４４…鍔部  ５ａ、５ｂ、５ｃ…配線ダクトレール部  ５１…開口  ５２…被係合片  ５３…保持部  ５４…導電板  ５５…凹溝  ５６…ストッパー  ５７…上板  ６…当接部材  ６１…ボルト部  ６２…調整ナット  ７…補強板  ８…プラグ  ８１…回転軸部  ８２…係合片  ８３…端子  １０…天井面  １１…ローゼット
【図１】
0003136382.tif 000003
【図２】
0003136382.tif 000004
【図３】
0003136382.tif 000005
【図４】
0003136382.tif 000006
【図５】
0003136382.tif 000007